【手続補正書】
【提出日】平成15年1月17日(2003.1.17)
【手続補正１】
【補正対象書類名】明細書
【補正対象項目名】特許請求の範囲
【補正方法】変更
【補正の内容】
【特許請求の範囲】
【請求項１】
各々が少なくとも１つのモデム及び複数の指向性アンテナを有する少なくとも１つのハブと、各々が指向性の強いアンテナを有する複数のノードとを有する、時分割多重形式の、動的な可変データ密度を有する、１対多の通信システムであって、当該通信システムは、少なくとも１つのキャリアのフォワードリンク割合及びリバースリンク割合を動的に設定するよう動作するトラフィック・スケジューラを有し、当該トラフィック・スケジューラが：
トラフィック判定システム；及び
前記トラフィック判定システムからの情報に基づいて、フォワードリンク割合及びリバースリンク割合を動的に設定し、所定の一組の動作手順に従って、前記フォワードリンク割合及び前記リバースリンク割合をトラフィックソースに割り当てるよう動作する割り当てシステム；
を有することを特徴とする通信システム。
【請求項２】
前記割り当てシステムが：
前記トラフィック判定システムにより提供される情報が、前記少なくとも１つのキャリアの少なくとも一部で与えられる利用可能な容量を越えるトラフィックを示す場合に、前記所定の一組の動作手順に従って、前記トラフィックソースの間で容量不足を分散させるよう動作するトラフィック輻輳部
を有することを特徴とする請求項１記載の通信システム。
【請求項３】
前記所定の一組の動作手順が、前記トラフィックソースの間で前記容量不足の実質的に均等な配分を行わせることを特徴とする請求項２記載の通信システム。
【請求項４】
前記所定の一組の動作手順が、前記トラフィックソースの間で前記容量不足の重み付けされた配分を行わせることを特徴とする請求項２記載の通信システム。
【請求項５】
前記重み付けされた配分が、特定のトラフィックソースに関連する送信優先度に少なくとも部分的に基づいていることを特徴とする請求項４記載の通信システム。
【請求項６】
前記重み付けされた配分が、特定のトラフィックソースに関連する最小保証帯域に少なくとも部分的に基づいていることを特徴とする請求項４記載の通信システム。
【請求項７】
前記重み付けされた配分が、特定のトラフィックソースに関連する不足履歴情報に少なくとも部分的に基づいていることを特徴とする請求項４記載の通信システム。
【請求項８】
前記割り当てシステムが：
前記トラフィック判定システムにより与えられる情報が、前記少なくとも１つのキャリアの少なくとも一部で与えられる利用可能な容量の余剰を示す場合に、前記所定の一組の動作手順に従って、前記トラフィックソースの間で過剰容量を分配するよう動作する過剰帯域部
を有することを特徴とする請求項１記載の通信システム。
【請求項９】
前記所定の一組の動作手順が、前記トラフィックソースの間で前記過剰容量の実質的に均等な配分を行わせることを特徴とする請求項８記載の通信システム。
【請求項１０】
前記所定の一組の動作手順が、前記トラフィックソースの間で前記過剰容量の重み付けされた配分を行わせることを特徴とする請求項８記載の通信システム。
【請求項１１】
前記重み付けされた配分が、特定のトラフィックソースに関連する送信優先度に少なくとも部分的に基づいていることを特徴とする請求項１０記載の通信システム。
【請求項１２】
前記重み付けされた配分が、特定のトラフィックソースに関連する最小保証帯域に少なくとも部分的に基づいていることを特徴とする請求項１０記載の通信システム。
【請求項１３】
前記割り当てシステムが：
前記トラフィックソースにキャリアを動的に割り当てるよう動作するキャリア割り当てシステム
を有することを特徴とする請求項１記載の通信システム。
【請求項１４】
通信容量の利用を最適化するために、前記キャリアの割り当てが、前記トラフィックソースに対する前記フォワードリンク割合及び前記リバースリンク割合の割り当てと共同して行われることを特徴とする請求項１３記載の通信システム。
【請求項１５】
前記重み付けされた配分が、前記トラフィックソースに対する不足履歴情報に少なくとも部分的に基づいて行われることを特徴とする請求項１０記載の通信システム。
【請求項１６】
前記トラフィック判定システムが、判定するトラフィックの現在のトラフィック要請／要求についての情報を利用することを特徴とする請求項１記載の通信システム。
【請求項１７】
前記トラフィック判定システムが、トラフィック履歴情報を利用することを特徴とする請求項１記載の通信システム。
【請求項１８】
前記トラフィック判定システムが、瞬時的なトラフィック利用度を判定するよう動作することを特徴とする請求項１記載の通信システム。
【請求項１９】
前記少なくとも１つのキャリアが、複数のキャリアより成ることを特徴とする請求項１記載の通信システム。
【請求項２０】
前記割り当てシステムの動作が、前記複数のキャリアの第２キャリアのフォワードリンク割合及びリバースリンク割合とは異なる、前記複数のキャリアの第１キャリアのフォワードリンク割合及びリバースリンク割合を設定することを特徴とする請求項１９記載の通信システム。
【請求項２１】
少なくとも１つのキャリアのフォワードリンク割合及びリバースリンク割合を動的に設定するよう動作し得るトラフィック・スケジューラであって、当該トラフィック・スケジューラが：
トラフィック判定システム；及び
前記トラフィック判定システムからの情報に基づいて、フォワードリンク割合及びリバースリンク割合を動的に設定し、所定の一組の動作手順に従って、前記フォワードリンク割合及び前記リバースリンク割合をトラフィックソースに割り当てるよう動作する割り当てシステム；
より成り、前記少なくとも１つのキャリアが複数のキャリアを形成し、
前記割り当てシステムが、前記複数のキャリアの第２キャリアのフォワードリンク割合及びリバースリンク割合とは異なる、前記複数のキャリアの第１キャリアのフォワードリンク割合及びリバースリンク割合を設定するよう動作し、
前記第１キャリアが干渉グループのキャリアであり、及び
前記干渉グループが、同一のフォワードリンク割合及び同一のリバースリンク割合で動作する複数のキャリアを包含することを特徴とするトラフィック・スケジューラ。
【請求項２２】
各々が少なくとも１つのモデム及び複数の指向性アンテナを有する少なくとも１つのハブと、各々が指向性の強いアンテナを有する複数のノードとを有する、時分割多重形式の、動的な可変データ密度を有する、１対多の通信システムであって、当該通信システムは：
複数のキャリア；及び
前記複数のキャリア中のキャリアについて通信容量の方向性リンクチャネル割合を動的に設定するよう動作するトラフィック・スケジューラ；
より成り、前記トラフィック・スケジューラが：
所定の一組の動作手順に従って、前記方向性リンクチャネル割合をトラフィックソースに割り当てるよう動作する割り当てシステムであって、前記複数のキャリアの第１キャリアの方向性リンクチャネル割合が、前記複数のキャリアの第２キャリアの対応する方向性リンクチャネル割合と異なるところの割り当てシステムを有することを特徴とする通信システム。
【請求項２３】
前記トラフィック・スケジューラが、更に：
前記所定の一組の動作手順に従って、前記複数のキャリア中のキャリアにトラフィックソースを動的に割り当てるよう動作するキャリア割り当てシステム
を有することを特徴とする請求項２２記載の通信システム。
【請求項２４】
前記所定の一組の動作手順に従って動作する前記キャリア割り当てシステム及び前記割り当てシステムが、前記通信システムで測定されるよう容量不足量を最小化することを特徴とする請求項２３記載の通信システム。
【請求項２５】
適応時分割多重化を行う通信システムであって、当該通信システムが：
複数のキャリア；及び
前記複数のキャリア中のキャリアについて通信容量の方向性リンクチャネル割合を動的に設定するよう動作するトラフィック・スケジューラ；
より成り、前記トラフィック・スケジューラが：
所定の一組の動作手順に従って、前記方向性リンクチャネル割合をトラフィックソースに割り当てるよう動作する割り当てシステムであって、前記複数のキャリアの第１キャリアの方向性リンクチャネル割合が、前記複数のキャリアの第２キャリアの対応する方向性リンクチャネル割合と異なるところの割り当てシステムより成り、
前記複数のキャリアが、少なくとも１つの形態で動作した場合に、望まれない干渉を引き起こすものと判定されるキャリアの第１グループを包含することを特徴とする通信システム。
【請求項２６】
前記少なくとも１つの形態が、同一の通信インターフェースを利用して同時に動作する前記第１グループのキャリアを包含することを特徴とする請求項２５記載の通信システム。
【請求項２７】
前記同一の通信インターフェースが、アンテナ素子であることを特徴とする請求項２６記載の通信システム。
【請求項２８】
前記少なくとも１つの形態が、リバースリンクにて動作する前記第１グループの他のキャリアと同時に、フォワードリンクにて動作する前記第１グループのキャリアを包含することを特徴とする請求項２５記載の通信システム。
【請求項２９】
前記第１グループが、前記第１キャリアを有するが、前記第２キャリアを有しないことを特徴とする請求項２５記載の通信システム。
【請求項３０】
前記割り当てシステムが：
容量不足を判定することの可能な輻輳システムであって、前記割り当てが、前記容量不足に応答する前記方向性リンクチャネル割合を割り当てるよう動作することを特徴とする請求項２２記載の通信システム。
【請求項３１】
前記容量不足に応答する前記方向性リンクチャネル割合の割り当てが、前記トラフィックソースの間で前記の不足分を実質的に等しく分配することを特徴とする請求項３０記載の通信システム。
【請求項３２】
前記容量不足に応答する前記方向性リンクチャネル割合の割り当てが、前記キャリアの間で前記の不足分を実質的に等しく分配することを特徴とする請求項３０記載の通信システム。
【請求項３３】
前記容量不足に応答する前記方向性リンクチャネル割合の割り当てが、前記トラフィックソースの間で前記の不足を不均一に分配することを特徴とする請求項３０記載の通信システム。
【請求項３４】
前記の不足分の分配が、前記トラフィックソースに関連する不足履歴に少なくとも部分的に基づいていることを特徴とする請求項３３記載の通信システム。
【請求項３５】
前記の不足分の分配が、前記トラフィックソースに関連するサービスの優先度に少なくとも部分的に基づいていることを特徴とする請求項３３記載の通信システム。
【請求項３６】
前記の不足分の分配が、前記トラフィックソースに関連する保証帯域に少なくとも部分的に基づいていることを特徴とする請求項３３記載の通信システム。
【請求項３７】
前記の不足分の分配が、前記キャリアに関連する不足履歴に少なくとも部分的に基づいていることを特徴とする請求項３３記載の通信システム。
【請求項３８】
前記割り当てシステムが：
過剰容量を判定するよう動作する過剰帯域システムであって、前記割り当てが、前記の過剰容量に応じて前記方向性リンクチャネル割合を割り当てる過剰帯域システム
を有することを特徴とする請求項２２記載の通信システム。
【請求項３９】
前記過剰容量に応答する前記方向性リンクチャネル割合の割り当てが、前記トラフィックソースの間で前記の過剰分を実質的に等しく分配することを特徴とする請求項３８記載の通信システム。
【請求項４０】
前記容量過剰に応答する前記方向性リンクチャネル割合の割り当てが、前記キャリアの間で前記の過剰分を実質的に等しく分配することを特徴とする請求項３８記載の通信システム。
【請求項４１】
前記容量過剰に応答する前記方向性リンクチャネル割合の割り当てが、前記キャリアの間で前記の過剰分を不均一に分配することを特徴とする請求項３８記載の通信システム。
【請求項４２】
前記の過剰分の分配が、前記トラフィックソースに関連する不足履歴に少なくとも部分的に基づいていることを特徴とする請求項４１記載の通信システム。
【請求項４３】
前記の過剰分の分配が、前記トラフィックソースに関連するサービスの優先度に少なくとも部分的に基づいていることを特徴とする請求項４１記載の通信システム。
【請求項４４】
前記の過剰分の分配が、前記トラフィックソースに関連する保証帯域に少なくとも部分的に基づいていることを特徴とする請求項４１記載の通信システム。
【請求項４５】
前記の過剰分の分配が、前記キャリアに関連する不足履歴に少なくとも部分的に基づいていることを特徴とする請求項４１記載の通信システム。
【請求項４６】
前記方向性リンクチャネル割合が、フォワードリンクチャネル割合であることを特徴とする請求項２２記載の通信システム。
【請求項４７】
前記方向性リンクチャネル割合が、リバースリンクチャネル割合であることを特徴とする請求項２２記載の通信システム。
【請求項４８】
適応時分割多重化を行う通信システムであって、当該通信システムが：
複数のキャリア；及び
前記複数のキャリア中のキャリアについて通信容量の方向性リンクチャネル割合を動的に設定するよう動作するトラフィック・スケジューラ；
より成り、前記トラフィック・スケジューラが：
所定の一組の動作手順に従って、前記方向性リンクチャネル割合をトラフィックソースに割り当てるよう動作する割り当てシステムであって、前記複数のキャリアの第１キャリアの方向性リンクチャネル割合が、前記複数のキャリアの第２キャリアの対応する方向性リンクチャネル割合と異なるところの割り当てシステムより成り、
前記複数のキャリアが、マイクロ波キャリアであることを特徴とする通信システム。
【請求項４９】
前記マイクロ波キャリアが、１０−６０ＧＨｚの範囲内にあることを特徴とする請求項４８記載の通信システム。
【請求項５０】
各々が少なくとも１つのモデム及び複数の指向性アンテナを有する少なくとも１つのハブと、各々が指向性の強いアンテナを有する複数のノードとを有する、時分割多重形式の、動的な可変データ密度を有する、１対多の通信システムにおける、通信容量の最適化を行う方法であって、当該方法は：
複数のキャリアを用意するステップ；
前記複数のキャリアを介して通信するトラフィックソースに求められる通信レベルを判定するステップ；及び
前記トラフィックソースに求められる判定された通信レベルに応答して、フォワード及びリバースチャネルの少なくとも１つに使用されるキャリア容量の部分を判定するステップ；
より成ることを特徴とする方法。
【請求項５１】
通信容量を最適化する方法であって、当該方法は：
複数のキャリアを用意するステップ；
前記複数のキャリアを介して通信するトラフィックソースに求められる通信レベルを判定するステップ；
前記トラフィックソースに求められる判定された通信レベルに応答して、フォワード及びリバースチャネルの少なくとも１つに使用されるキャリア容量の部分を判定するステップ；及び
キャリアのロックステップ・グループとして前記キャリアを区別するステップ；
より成り、前記ロックステップ・グループの各キャリアの少なくとも１つのフォワード及びリバースチャネルに使用されるキャリア容量の部分の判定が、同一であることを特徴とする方法。
【請求項５２】
更に、キャリアのロックステップ・グループを区別する前記ステップが：
前記複数のキャリア中のもののフォワードリンク及び前記複数のキャリア中の他のもののリバースリンクの同時使用に提供されるための、前記キャリア中の他のものの間で不十分なアイソレーションを与えるところの複数のキャリア中のものを判定するステップ
より成ることを特徴とする請求項５１記載の方法。
【請求項５３】
前記キャリアのロックステップを区別する方法が：
前記複数のキャリアのロックステップでない利用が、望まれない結果を招くところの通信システム資源を判定するステップ
より成ることを特徴とする請求項５１記載の方法。
【請求項５４】
前記通信システム資源が、前記トラフィックソースのものより成ることを特徴とする請求項５３記載の方法。
【請求項５５】
前記通信システム資源が、アンテナシステムより成ることを特徴とする請求項５３記載の方法。
【請求項５６】
通信容量を最適化する方法であって、当該方法は：
複数のキャリアを用意するステップ；
前記複数のキャリアを介して通信するトラフィックソースに求められる通信レベルを判定するステップ；及び
前記トラフィックソースに求められる判定された通信レベルに応答して、フォワード及びリバースチャネルの少なくとも１つに使用されるキャリア容量の部分を判定するステップ；
より成り、フォワード及びリバースチャネルの少なくとも１つに使用されるキャリア容量の部分を判定する前記ステップが、第２キャリアのリバースチャネルと重複する第１キャリアのフォワードチャネルを提供することを特徴とする方法。
【請求項５７】
更に：
フォワード及びリバースチャネルの少なくとも１つに使用されるキャリア容量の前記の判定された部分からの、所望の不足容量を判定するステップ
より成ることを特徴とする請求項５０記載の方法。
【請求項５８】
更に：
前記トラフィックソースの間で実質的に等しく前記不足容量を割り当てるステップ
より成ることを特徴とする請求項５７記載の方法。
【請求項５９】
更に：
不足履歴判定に従って、前記不足容量を割り当てるステップ
より成ることを特徴とする請求項５７記載の方法。
【請求項６０】
更に：
サービスの優先度に従って、前記不足容量を割り当てるステップ
より成ることを特徴とする請求項５７記載の方法。
【請求項６１】
更に：
サービスの所望の品質に従って、前記不足容量を割り当てるステップ
より成ることを特徴とする請求項５７記載の方法。
【請求項６２】
更に：
フォワード及びリバースチャネルの少なくとも１つに使用されるキャリア容量の前記の判定された部分からの過剰容量を判定するステップ
より成ることを特徴とする請求項５０記載の方法。
【請求項６３】
更に：
前記トラフィックソースの間で前記過剰容量を実質的に等しく割り当てるステップ
より成ることを特徴とする請求項６２記載の方法。
【請求項６４】
更に：
サービスの優先度に従って、前記過剰容量を割り当てるステップ
より成ることを特徴とする請求項６２記載の方法。
【請求項６５】
更に：
サービスの所望の品質に従って、前記過剰容量を割り当てるステップ
より成ることを特徴とする請求項６２記載の方法。
【請求項６６】
通信容量の最適化を行うシステムであって、当該システムは：
前記複数のキャリアを介して通信するトラフィックソースに求められる通信レベルを判定する手段；
前記トラフィックソースに求められる判定された通信レベルに応答して、フォワード及びリバースチャネルの少なくとも１つに使用されるキャリア容量の部分を判定する手段；
キャリアの第１ロックステップ・グループとして前記キャリアを区別する手段であって、前記第１ロックステップ・グループの各キャリアの少なくとも１つのフォワード及びリバースチャネルに使用されるキャリア容量の部分の判定が、同一であるところの手段
を有することを特徴とするシステム。
【請求項６７】
更に：
キャリアの第２ロックステップ・グループとして前記キャリアを区別する手段であって、前記第２ロックステップ・グループの各キャリアの少なくとも１つのフォワード及びリバースチャネルに使用される前記キャリア容量の部分の判定が同一であり、前記第１グループ及び第２グループの前記キャリア容量の前記部分が異なるところの手段
を有することを特徴とする請求項６６記載のシステム。
【請求項６８】
キャリア容量の部分を判定する前記手段が、キャリアの全通信フレームに動作可能であることを特徴とする請求項６６記載のシステム。
【請求項６９】
キャリア容量の部分を判定する前記手段が、キャリアのスーパーフレーム全体に動作可能であり、前記スーパーフレームがキャリアの所定の複数の通信フレームより成ることを特徴とする請求項６６記載のシステム。
【請求項７０】
キャリア容量の部分を判定する前記手段が、あるイベントの出現に基づいて動作することが可能であることを特徴とする請求項６６記載のシステム。
【請求項７１】
前記イベントは、通信データキューが所定の閾値に達したことの判定結果であることを特徴とする請求項７０記載のシステム。
【請求項７２】
前記閾値が、データの待機量であることを特徴とする請求項７１記載のシステム。
【請求項７３】
前記閾値が、キューデータの待機時間であることを特徴とする請求項７１記載のシステム。
【請求項７４】
前記イベントが、所定の時間であることを特徴とする請求項７０記載のシステム。